【手続補正書】
【提出日】平成21年1月27日(2009.1.27)
【手続補正１】
【補正対象書類名】明細書
【補正対象項目名】００１２
【補正方法】変更
【補正の内容】
【００１２】
ヨーロッパ特許出願公開第０，８９４，８３１Ａ号明細書はキノキサリン−モノアゾ−アセトアリリド顔料、中でも式（Ｉ）
【手続補正２】
【補正対象書類名】明細書
【補正対象項目名】００１８
【補正方法】変更
【補正の内容】
【００１８】
ヨーロッパ特許出願公開第０，８９４，８３１Ａ号明細書に開示されたモノアゾ顔料の欠点を克服しそして種々の使用媒体中での前述の要求を満足する黄色のモノアゾ顔料が必要とされている。
【課題を解決するための手段】
【手続補正３】
【補正対象書類名】明細書
【補正対象項目名】００２２
【補正方法】変更
【補正の内容】
【００２２】
で表されるモノアゾ顔料及び、式（Ｉ）のモノアゾ顔料の重量を規準として０．１〜４０重量％、好ましくは０．５〜２５重量％、特に好ましくは１．０〜１７．５重量％の量で顔料分散剤を含有する顔料調製物であって、該顔料分散剤がジスアゾ化合物類で組成されており、その際にジスアゾ化合物の少なくとも３０重量％が式（ＩＩ）
Y - X - A - X - Z (II)
［式中、Ａはビフェニレン、３，３’−ジクロロビフェニレン、３，３’−ジメトキシビフェニレン、３，３’−ジメチルビフェニレン又は２，２’−ジクロロ−３，３’−ジメトキシビフェニレンであり；
Ｘは基-NH-CO-CH(COCH3)-N=N-、-N=N-CH(COCH3)-CO-NH- 又は-N=N-であり；
Ｙは置換された又は非置換のフェニル、ピラゾリン−５−オン−４−イル、１−フェニルピラゾリン−５−オン−４−イル、２−ヒドロキシナフチル−１又は２−ヒドロキシ−３−（フェニルアミノカルボニル）ナフチル−１を意味し、その際に置換基はＣ１〜Ｃ４−アルキル基、Ｃ１〜Ｃ４−アルコキシ基、ニトロ、ハロゲン又はＣ１〜Ｃ４−アルコキシカルボニル基であり、そして
ＺはＹの意味を有しそして追加的にアンモニウム塩として存在するスルホン酸基で置換されている。］
で表される非対称ジスアゾ化合物であることを特徴とする、顔料調製物に関する。
【手続補正４】
【補正対象書類名】明細書
【補正対象項目名】００３４
【補正方法】変更
【補正の内容】
【００３４】
非イオン性及び両性物質としては、例えば脂肪アミンカルボキシグリシナート、アミノキシド、脂肪アルコールポリグリコールエーテル、脂肪酸ポリグリコールエステル、ベタイン、例えば脂肪酸アミド−Ｎ−プロピル−ベタイン、脂肪族及び芳香族アルコールのリン酸エステル、脂肪アルコール又は脂肪アルコールポリグリコールエーテル、脂肪酸アミドエトキシレート、脂肪アルコール−アルキレンオキシド付加物及びアルキルフェノールポリグリコールエーテルが適する。
【手続補正５】
【補正対象書類名】明細書
【補正対象項目名】００４９
【補正方法】変更
【補正の内容】
【００４９】
有機系液体は粉砕物が粘性で弛んだ物質を生じる様な量で使用される。使用量は式（Ｉ）のモノアゾ顔料の重量を規準として０．５〜５倍量、好ましくは１〜２倍量である。有機系液体としては、モノアゾ顔料及び塩をできるだけ溶解せず、かつ、α相からβ相への結晶相変換を妨害しないものが適する。この様な有機系液体の例には炭素原子数１〜１０のアルコール、例えばメタノール、エタノール、ｎ−プロパノール、イソプロパノール、ブタノール類、例えばｎ−ブタノール、イソブタノール、第三ブタノール、ペンタノール類、例えばｎ−ペンタノール、２−メチル−２−ブタノール、ヘキサノール類、例えば２−メチル−２−ペンタノール、３−メチル−３−ペンタノール、２−メチル−２−ヘキサノール、３−エチル−３−ペンタノール、オクタノール類、例えば２，４，４−トリメチル−２−ペンタノール、シクロヘキサノール；又はグリコール類、例えばエチレングリコール、ジ−、トリ−又はテトラエチレングリコール、プロピレングリコール、ジ−、トリ−又はテトラプロピレングリコール、ソルビトール又はグリセリン；ポリグリコール類、例えばポリエチレン−又はポリプロピレングリコール；エーテル類、例えばメチルイソブチルエーテル、テトラヒドロフラン、ジメトキシエタン又はジオキサン；グリコールエーテル、例えばエチレン−又はプロピレングリコールのモノアルキルエーテル又はジエチレングリコール−モノアルキルエーテル（この場合アルキルはメチル、エチル、プロピル及びブチルである）、例えばブチルグリコール又はメトキシブタノール；ポリエチレングリコールモノメチルエーテル、特に平均分子量３５０〜５５０ｇ／モルのもの、及びポリエチレングリコールジメチルエーテル、特に平均分子量２５０〜５００ｇ／モルのもの；ケトン類、例えばアセトン、ジエチルケトン、メチルイソブチルケトン、メチルエチルケトン又はシクロヘキサノン；脂肪族酸アミド、例えばホルムアミド、ジメチルホルムアミド、Ｎ−メチルアセトアミド又はＮ，Ｎ−ジメチルアセトアミド；尿素誘導体、例えばテトラメチル尿素；又は環状カルボン酸アミド、例えばＮ−メチルピロリドン、バレロラクタム又はカプロラクタム；エステル類、例えばカルボン酸−Ｃ１〜Ｃ６−アルキルエステル、例えば蟻酸ブチルエステル、酢酸エチルエステル又はプロピオン酸プロピルエステル；又はカルボン酸−Ｃ１〜Ｃ６−グリコールエステル；又はグリコールエーテルアセテート、例えば１−メトキシ−２−プロピルアセテート；又はフタル酸ジ−又は安息香酸アルキルエステル、例えば安息香酸−Ｃ１〜Ｃ４−アルキルエステル又は−Ｃ１〜Ｃ１２−アルキルフタル酸ジエステル；環状エステル、例えばカプロラクトン；ニトリル類、例えばアセトニトリル、脂肪族又は芳香族アミン類、例えばジメチルアニリン又はジエチルアニリン；場合によってはハロゲン化された脂肪族炭化水素又は芳香族炭化水素、例えばベンジン、ピネン、四塩化炭素、トリ−又はテトラクロロエチレン、テトラクロロエタン、ベンゼン又はアルキル、アルコキシ、ニトロ、シアノ又はハロゲンで置換されたベンゼン、例えばトルエン、キシレン、エチルベンゼン、アニソール、ニトロベンゼン、クロロベンゼン、ジクロロ��ンゼン、トリクロロベンゼン、ベンゾニトリル又はブロモベンゼン;又は他の置換された芳香族化合物、例えばフェノール類、アミノフェノール類、クレゾール、ニトロフェノール、フェノキシエタノール又は２−フェニルエタノール；芳香族ヘテロ環化合物、例えばピリジン、モルホリン、ピコリン又はキノリン；１，３−ジメチル−２−イミダゾーリジノン；スルホン及びスルホキシド、例えばジメチルスルホキシド及びスルホラン、並びにこれらの有機系液体の混合物がある。グリコール及びグリコールエーテル類、例えばエチレングリコール、ジエチレングリコール又はブチルグルコール、アミン類、例えばアニリン、ジエチルアニリン、ジメチルアニリン、ｎ−ブチルアミン、ｏ−トルイジン又は獣脂プロピレンジアミン、ジメチルホルムアミド、Ｎ−メチルピロリドン、トリエタノールアミン、トルエン、キシレン、クメン、メシチレン又はオクチルベンゼンを使用するのが特に有利である。僅かな量、使用されるモノアゾ顔料に含まれ得る水を含めた液体の総量の５０重量％より多くない量の水を添加することも可能であるが、望ましくはない。
【手続補正６】
【補正対象書類名】明細書
【補正対象項目名】００６７
【補正方法】変更
【補正の内容】
【００６７】
代表的なトナー用結着剤（バインダー）は重合樹脂、重付加樹脂及び重縮合樹脂、例えばスチレン系樹脂、スチレンアクリレート樹脂、スチレンブタジエン樹脂、アクリレート樹脂、ポリエステル樹脂、フェノールエポキシド樹脂、ポリスルホン、ポリウレタンの単独又はそれらの組合せ、並びに他の内容物質、例えば電荷制御剤、ワックス又は流動助剤を含有していても又はこれらの添加成分で後で変性されているポリエチレン及びポリプロピレンがある。
【手続補正７】
【補正対象書類名】明細書
【補正対象項目名】００９０
【補正方法】変更
【補正の内容】
【００９０】
塗料分野、水不含の溶剤系ワニス系における顔料調製物の性質を評価するために、多様な公知のワニスの内から中油アルキッド樹脂及びブタノール脱エーテル化メラミン樹脂（ＡＭ）をベースとするアルキッド−メラミン樹脂ワニスを選択した。